(57)【要約】【課題】発光素子（ＬＥＤ、ＬＣＤ等の総称）を用いた発光セグメントの組合せで数字の形状を一筆書きに近く整えて弱視者や視覚異常者にも見やすい番号表示器を提供する。【解決手段】複数のセグメントは、８の字形の配列における四隅の外形をＲ形状に形成されており、８の字形配列の発光セグメントのうち、中央横辺部セグメントは、長方形状の主たる中央辺セグメントと、その左右両側の上下方向の側辺部の一部を成す部分セグメントとの３つで構成され、部分セグメントは上下方向の側辺部を繋ぐ形状とされており、右下外隅部は、Ｒ形状セグメントと、その外側に方形状を補完する角付けセグメントの２つで構成されており、角付けセグメントは、数字１、２、４、７において発光される。【選択図】  図２
2008257091.tif 000002
【特許請求の範囲】
【請求項１】
発光素子を備えた複数の発光セグメントが８の字形の配列で設けられた番号表示器であって、
上記複数のセグメントは、８の字形の配列における四隅の外形をＲ形状に形成されており、
上記８の字形配列の発光セグメントのうち、中央横辺部セグメントは、長方形状の主たる中央辺セグメントと、その左右両側の上下方向の側辺部の一部を成す部分セグメントとの３つで構成され、前記部分セグメントは前記上下方向の側辺部を繋ぐ形状とされており、
右下外隅部は、Ｒ形状セグメントと、その外側に方形状を補完する角付けセグメントの２つで構成されており、
前記角付けセグメントは、数字１、２、４、７において発光される構成であることを特徴とする、番号表示器。
【請求項２】
上方横辺部セグメントは、長方形状の主たる上辺セグメントと、その左右両端のＲ形状部を内隅から放射方向に二分割した２つの隅部セグメントとで構成され、
前記２つの隅部セグメントは、全数字において発光される構成であることを特徴とする、請求項１に記載した番号表示器。
【発明の詳細な説明】
【技術分野】
【０００１】
本発明は、発光素子（ＬＥＤ、ＬＣＤ等の総称）を用いた発光セグメントの組合せで、所望の数値（番号）字を表示する番号表示器の技術分野に属し、更に云うと、数字の形状を一筆書きに近く整えて弱視者や視覚異常者にも見やすく、遠方からも判別しやすい番号表示器に関する。
【背景技術】
【０００２】
従来から、番号表示器は、例えば図５Ｃに示すように、１〜１０の数字を７セグメントに分割構成して表示することが一般的に行われている。
上記のような７セグメントで数字を表示する表示器は、下記の特許文献１、２に開示されており、各種表示制御方法等に工夫が加えられている。
また、特許文献３には、図６に示すように１６セグメントで構成され、各セグメント内に赤色ＬＥＤ、緑色ＬＥＤを有するマルチセグメントが開示されている。
【０００３】
【特許文献１】特開平９−９２８８８号公報
【特許文献２】特開平９−１４６４７８号公報
【特許文献３】特開平９−６２５７号公報
【発明の開示】
【発明が解決しようとする課題】
【０００４】
上述した図５Ｃ及び特許文献１、２に開示された７セグメントで構成される番号表示器は、最も廉価で構成できる表示方式として認められ、広く実施されている。
しかし、７セグメントによる数字は、図示の通り手書きの数字や通例の活字書体の数字に比べて不完全で見にくい。例えば、数字の中央部が不自然に窪んで見えたり（数字０、６、８、９を参照）、ベースラインのズレ（数字１、４、７を参照）や線の長さの不自然さ（数字２、３、５参照）が生じてしまう。これらの表示形態の問題は、弱視者や視覚異常者にとっては数字として認識しがたい場合が多く、前後の文意・文脈関係から推測して適当する数字を認識判断していることが指摘されている。特に中央横辺部は一つのセグメントで構成されているため、３と８の区別が付けにくいことが知られている。したがって、銀行等で呼ばれた自分の窓口番号が表示された表示器を見つけられないこともある。
【０００５】
また、特許文献３に開示された１６セグメントで構成する技術は、図示の通り、英数字を表記するべくセグメントを増加した構成であり、数字の表記は、従来通りの７セグメントによる表示方式であるため、上述した問題点が未だ残っている。
【０００６】
ところで、最近ユニバーサルデザイン（Universal Design、UDと略記することもある）を用いることが企業等に奨励されている。ユニバーサルデザインとは、文化・言語の違い、老若男女といった差異、障害・能力の如何を問わずに利用することができる施設・製品・情報の設計（デザイン）である。
上記の観点から、弱視者や視覚異常者にとっても分かり易く見やすい番号表示器が求められているが、そのようなデザインの番号表示器は未だ見聞きしない。
【０００７】
本発明は、数字の形状を一筆書き又は通例の活字に近く整えて、人が書くフォントデザインに近い番号表示を安価に実現し、弱視者や視覚異常者が表記した通りの数字として明りょうに識別でき、遠方からも見やすく判別しやすい番号表示器を提供することにある。
【課題を解決するための手段】
【０００８】
上述した従来技術の課題を解決するための手段として、請求項１に記載した発明に係る番号表示器は、
発光素子を備えた複数の発光セグメントが８の字形の配列で設けられた番号表示器であって、
上記複数のセグメントは、８の字形の配列における四隅の外形をＲ形状に形成されており、
上記８の字形配列の発光セグメントのうち、中央横辺部セグメントは、長方形状の主たる中央辺セグメントと、その左右両側の上下方向の側辺部の一部を成す部分セグメントとの３つで構成され、前記部分セグメントは前記上下方向の側辺部を繋ぐ形状とされており、
右下外隅部は、Ｒ形状セグメントと、その外側に方形状を補完する角付けセグメントの２つで構成されており、
前記角付けセグメントは、数字１、２、４、７において発光される構成であることを特徴とする。
【０００９】
請求項２記載の発明は、請求項１に記載した番号表示器において、
上方横辺部セグメントは、長方形状の主たる上辺セグメントと、その左右両端のＲ形状部を内隅から放射方向に二分割した２つの隅部セグメントとで構成され、
前記２つの隅部セグメントは、全数字において発光される構成であることを特徴とする。
【発明の効果】
【００１０】
請求項１に記載した発明に係る番号表示器は、複数のセグメントが８の字形配列における四隅外形をＲ形状とし、中央横辺部のセグメントは主たる中央辺セグメントと、その左右両側の上下方向の側辺部の一部を成す部分セグメントとの３つで構成し、部分セグメントは同上下方向の側辺部を繋ぐ形状とし、右下外隅部は、Ｒ形状セグメントと方形状を補完する角付けセグメントの２つで構成したので、各数字の表記形状は一筆書きに近い明りょうな表示に整えられ、従来問題点であった数字０、６、８、９の中央部の不自然な窪みや、数字１、４、７のベースライン（右下隅部）のズレ及び数字２、３、５の線の長さの不自然さが解消された。特に、中央横辺部のセグメントが３つで構成されたので、主たる中央辺セグメントが上方及び下方横辺セグメントに比して短くなり、数字３と８の違いが明らかで目視による区別が明りょうになった。
したがって、弱視者や視覚異常者であっても表記数値を明快に識別でき、遠方からも見やすく判別しやすい番号を実現できる。のみならず、未開発であった番号表示器におけるユニバーサルデザインの実現に寄与できる。
【００１１】
請求項２に記載した発明は、上方横辺部セグメントが、長方形状の主たる上辺セグメントと、その左右両端にＲ形状を内隅から放射線方向に二分割する２つの隅部セグメントとで構成したので、全数字の端部の角が尖らず滑らかな形状となり、一筆書きにより近く整って非常に見やすくなる。 
【発明を実施するための最良の形態】
【００１２】
本発明は、発光素子を備えた複数の発光セグメントが８の字形の配列で設けられた番号表示器１である。
上記複数のセグメントａ〜ｇは、８の字形の配列における四隅外形をＲ形状に形成されている。
前記８の字形配列の発光セグメントのうち、中央横辺部セグメントは、主たる中央セグメントｋと、その左右両側の上下方向の側辺部（ａ、ｉ及びｃ、ｅ）の一部を成す部分セグメントｊ、ｄとの３つで構成され、前記部分セグメントｊ、ｄは上下方向の側辺部（ａ、ｉ及びｃ、ｅ）を繋ぐ形状とされている。
右下外隅部は、Ｒ形状セグメントｆと、その外側に方形状を補完する角付けセグメントｇの２つで構成され、前記角付けセグメントｆは、数字１、２、４、７において発光される構成である。
【実施例１】
【００１３】
以下、本発明の実施例を図面に基づいて説明する。
本発明の番号表示器１は、図１に示すように、例えば銀行等に設置されるスピーカＳ付きの大型窓口番号表示器として好適に実施される。図示した表示器の寸法は縦７０ｍｍ程度、横１００ｍｍ程度の大きさである。
【００１４】
次に、図２を参照して本発明の番号表示器１の構成について具体的に説明する。
番号表示器１は、発光素子を表面に配列して画面を形成した板状の表示モニタ２と、同表示モニタ２の上下両端縁部に取り付けられた基盤３とから構成されている。
【００１５】
前記発光素子で成る表示モニタ２には、数字を表記させるセグメントが備えられている。同セグメントは１１個に分割（ａ〜ｇ）され、８の字形に配列されている。具体的には、消費電力を低減させた発光制御が行えるＬＣＤ（Liquid Crystal Display）表示器を使用し、それぞれの発光素子を制御して、該当する数字に対応する上記セグメントａ〜ｇの発光素子を白色で発光させ、数字表示に関係のない発光素子は青又は黒色で発光させて、見やすい数字表示を行う。本発明の発光素子とは、ＬＥＤ又はＬＣＤ等の総称を指している。
図２では３桁の数値を表示する番号表示器１を示し、左からＸ、Ｙ、Ｚの位置に各セグメントａ〜ｇが配置されている。
【００１６】
前記基盤３の上下両端の側縁部には、パット状の端子部４（１ａ〜３ｇ）が設けられている。同端子部４（１ａ〜３ｇ…）は、図示の通り上記Ｘ、Ｙ、Ｚに配置されたセグメントａ〜ｇに対応する発光素子と導通され、発光信号を送る。これらの信号は、右図に示すように上記それぞれの端子に接続されている各ロジック回路５と制御用ＩＣ６によりＯＮ／ＯＦＦ制御して目的の数字信号が発信される。制御デバイスを制御し、数字を表示させるプログラムは、接続されるＣＰＵ７、メモリ８内の数値表示制御メモリと、プログラムメモリーに格納されている。
前記パット状の端子部４には、コモン端子部４ａが設けられており、この端子部４ａには共通電源が接続されている。
【００１７】
上述したＸ〜Ｚに配置されたセグメントａ〜ｇの構成について説明する。本発明は数字フォントを形成するセグメントの配置構成を特徴としている。
前記セグメントは、上述した通りａ〜ｇの合計１１のセグメントに分割され、８の字形に配列されている。その際、四隅外形がＲ形状となるようにセグメントの外周端部には丸みを付けている。
中央横辺部セグメントは、長方形状の主たる中央辺セグメントｋと、左右両側の上下方向の側辺部ａ、ｉ及びｃ、ｅの一部を成す部分セグメントｊ、ｄとの３つで構成され、前記部分セグメントｊ、ｄは、同上下方向の側辺部ａとｉ、ｃとｅを繋ぐ椀型形状に形成されている。
上記のように中央横辺部セグメントを３つのセグメントから構成したので、中央辺セグメントｋが上方横辺セグメントｂ、又は下方横辺セグメントｈに比して短くなるので、数字３は数字８と区別しやすくなる。
【００１８】
右下外隅部は、Ｒ形状セグメントｆと、その外側に方形状を補完する角付けセグメントｇの２つから構成されている。この角付けセグメントｇを発光させる数字としては、１、２、４、７である（図５Ａ参照）。上記の数字に実施すると、数字の終端（書き順上）の角が尖らずしっかりと止まっているように見えるので肉筆により近く見やすい。
【００１９】
次に、図１に示す１２４の数字の表示を例に取り表示方法を説明する。まず、数字を表示するにはメモリ８内の格納されている制御メモリ及びプログラムメモリをＣＰＵ７が制御して、制御ＩＣ６からロジック回路５へ発光信号として送らせる。数字１は、前記発光信号を受け取り端子部４の端子３ｃ、３ｄ、３ｅ、３ｆ、３ｇをオンにして、対応するセグメントＸｃ、Ｘｄ、Ｘｅ、Ｘｆ、Ｘｇを発光させる。２は、前記発光信号を受け取り端子部４の端子２ｂ、２ｃ、２ｄ、２ｋ、２ｊ、２ｉ、２ｈ、２ｆ、２ｇをオンにして、対応するセグメントＹｂ、Ｙｃ、Ｙｄ、Ｙｋ、Ｙｊ、Ｙｉ、Ｙｈ、Ｙｆ、Ｙｇを発光させる。４は、やはり前記発光信号を受け取り端子部４の端子１ａ、１ｊ、１ｋ、１ｃ、１ｄ、１ｅ、１ｆ、１ｇをオンにして、対応するセグメントＺａ、Ｚｊ、Ｚｋ、Ｚｃ、Ｚｄ、Ｚｅ、Ｚｆ、Ｚｇを発光させる。
【００２０】
本発明は、上記のように各セグメントを構成したので、図５Ａに示すように、なめらかで柔らかい一筆書きに近い明りょうな表示に整えられ、誤認の要素であった、不自然な窪みや、ラインのズレ、線の長さの不自然さが解消され、弱視者や視覚異常者であっても、表記数値を明快に識別でき、遠方からも見やすく判別しやすい番号を提供できるのである。のみならず、未開発であった番号表示におけるユニバーサルデザインの実現に寄与できる。
【実施例２】
【００２１】
次に、図３に示した請求項２に記載した番号表示器１’を説明する、実施例２は実施例１と略同様の技術的思想を有しており、その相違点のみを述べる。
即ち、実施例１の数字を表記するセグメントは１１個（ａ〜ｇ）に分割したが、この限りではなく、図４に示すように、実施例１に加えて、更に細かく、上方横辺部セグメントは、長方形状の主たる上辺セグメントｂ’と、その左右両端にＲ形状を内隅から放射線方向に二分割する隅部セグメントＬ’、Ｍ’及びＭ’、Ｏ’との、合計１５個（ａ’〜Ο’）のセグメントで構成されている。前記隅部セグメントＬ’、Ｍ’及びＭ’、Ｏ’は、図５Ｂに示すように、特に１〜７の上端部において不自然な尖りを埋めて全数字の端部の角が尖らず滑らかな形状とさせ非常に見やくできる。
因みに、セグメントを細かく分ける程コストが高くなるため１１〜２０セグメント以内とすることが好ましい。
【００２２】
以上に本発明の実施例を説明したが、本発明はこうした実施例に何ら限定されるものではなく、本発明の要旨を逸脱しない範囲において、種々の形態で実施し得る。
【図面の簡単な説明】
【００２３】
【図１】本発明の番号表示器の一つの実施形態を示す図である。
【図２】本発明の番号表示器の内部構成を示す概略図である。
【図３】実施例２の番号表示の一つの実施形態を示す図である。
【図４】実施例２のセグメント配置例を示した図である。
【図５】Ａは本発明の実施例１に記載した１１セグメントの番号表示である。Ｂは本発明の実施例２に記載した番号表示である。Ｃは従来の７セグメントの番号表示を示した図である。
【図６】従来の１６セグメントの番号表示を示した参考図である。
【符号の説明】
【００２４】
１        番号表示器
２        表示モニタ
３        基盤
４        端子部
５        ロジック回路
６        制御用ＩＣ
７        ＣＰＵ
８        メモリ
【図１】
2008257091.tif 000003
【図２】
2008257091.tif 000004
【図３】
2008257091.tif 000005
【図４】
2008257091.tif 000006
【図５】
2008257091.tif 000007
【図６】
2008257091.tif 000008